(57)【特許請求の範囲】
【請求項１】
合成樹脂製ブロー成形壜体であって、首部(2) もしくは肩部(3) の一方のピンチオフ部に、偏平に押し潰した形態で、リング状に展開可能なリング片(4) を、パーティングライン(P) に沿って一体に付設すると共に、底部(11)のピンチオフ部に、脚部分(13)よりも下位に突出しない高さで、前記展開したリング片(4) が引っ掛かるフック片(14)を一体に付設し、少なくとも胴部(7) を、押し潰し変形が容易に達成できる程度に薄肉とした合成樹脂製ブロー成形壜体。
【請求項２】
四角筒状の胴部(7) の上端と下端に切妻屋根状の肩部(3) と底部(11)を、前記胴部(7) の前後壁(8) に屋根状の軒部を接続させた形態で連設し、前記肩部(3) の上端中央に首部(2) を介して口筒部(1) を起立連設し、前記胴部(7) の両側壁(9) に、折れ目線を形成する折れ目線条(10)を付形した請求項１記載の合成樹脂製ブロー成形壜体。
【請求項３】
偏平に押し潰された形態のリング片(4) の隣接対向した部分間を、破断し易い薄肉な結合片(6) で一体に結合した請求項１または２記載の合成樹脂製ブロー成形壜体。
【請求項４】
偏平に押し潰された形態のリング片(4) の、首部(2) および肩部(3) に間近に対向する部分の少なくとも一方を、前記対向した首部(2) および肩部(3) 部分に、破断し易い薄肉な結合片(6) で一体に結合した請求項１または２または３記載の合成樹脂製ブロー成形壜体。
【請求項５】
偏平に押し潰された形態のリング片(4) を、首部(2) もしくは肩部（3)の一方のピンチオフ部に起立状に設けた連結片(5) を介して設けた請求項１または２または３または４記載の合成樹脂製ブロー成形壜体。
【発明の詳細な説明】
【０００１】
【発明の属する技術分野】
本発明は、減容化処理を確実にかつ効率良く達成できるように構成した、薄肉合成樹脂製ブロー成形壜体の構造に関するものである。
【０００２】
【従来の技術】
全体を薄肉に成形して、押し潰しての減容化を容易とすることにより、廃棄処理を簡単にかつ好ましい状態で達成できるようにしたものがある。
【０００３】
この従来技術は、壜本体の底部下面に係合凹部を形成すると共に、ネジキャップ状の蓋体の外側面に、偏平に押し潰されて二つ折りに折り曲げられた壜本体の係合凹部に、強固に嵌合する係合突起を設けた構成となっている。
【０００４】
この減容化処理を目的として構成された合成樹脂製ブロー成形壜体における係合機能部は、凹部と突起との組合せで構成されているので、その全体をコンパクトに成形することができ、これにより壜体の取扱い時に邪魔となることがなく、またその減容化処理を簡単にかつ素早く達成できるものとなっている。
【０００５】
【発明が解決しようとする課題】
しかしながら、上記した従来技術にあっては、係合突起を係合凹部に嵌合係止させるのに、比較的大きな押圧操作力を必要とし、人によっては係合機能部の係合結合が必ずしも容易に達成できるとは限らないと云う問題があった。
【０００６】
また、係合突起と係合凹部とを係合させるには、壜体を偏平に押し潰して二つ折りに折り曲げた状態で、この両者を正確に対向位置させる必要があるが、このため壜体に、一定してかつ正確に偏平押し潰し変形および二つ折り変形するための構成を施しておくことが必要となり、その分、壜体の構造が複雑化する、と云う問題があった。
【０００７】
そこで、本発明は、上記した従来技術における問題点を解消すべく創案されたもので、フック状体に対するリング状体の引っ掛かりを、壜体の折り畳み（折り曲げ）姿勢保持力として機能させることを技術的課題とし、もって折り畳み姿勢を保持する係止操作を簡単にかつ容易に達成すると共に、壜体の折り畳み姿勢が歪んだとしても、この折り畳み姿勢の係止保持を簡単にかつ確実に達成することを目的とする。
【０００８】
【課題を解決するための手段】
上記技術的課題を解決する本発明の内、請求項１記載の発明の手段は、
合成樹脂製ブロー成形壜体であること、
首部もしくは肩部の一方のピンチオフ部に、偏平に押し潰した形態で、リング状に展開可能なリング片を、パーティングラインに沿って一体に付設すること、
底部のピンチオフ部に、脚部分よりも下位に突出しない高さで、展開したリング片が引っ掛かるフック片を一体に付設すること、
少なくとも胴部を、押し潰し変形が容易に達成できる程度に薄肉としたこと、
にある。
【０００９】
リング片は、首部もしくは肩部の一方のピンチオフ部に、パーティングラインに沿って一体に付設されたものであるので、一対の割り金型であるブロー金型の型締め動作を利用して、壜体にブロー成形されるパリソンの、今まで切断除去されていた部分の一部を、リング片に成形することができる。
【００１０】
フック片は、底部の脚部分よりも下位に突出しない高さであるので、壜体を平面上に起立状に載置した際に、フック片に邪魔されることなく、脚部分が確実にかつ安定して“座”機能を発揮することになる。
【００１１】
胴部が薄肉となって簡単に偏平に押し潰すことができるので、偏平に変形させた状態で縦に二つに折り、そのまま引っ張り展開したリング片を、フック片に引っ掛けることにより、壜体は、弾性復帰することなく、偏平に押し潰されて二つに折られた姿勢のままとなる。
【００１２】
なお、リング片は、フック片に引っ掛かって壜体の折り畳み姿勢を保持するためだけに機能するのではなく、偏平に押し潰した形態となっているリング片を、引っ張ってリング状に展開し、この展開したリング片を適当な吊り下げ用フックに引っ掛けることにより、吊り下げ陳列することが可能となる。
【００１３】
請求項２記載の発明は、請求項１記載の発明に、四角筒状の胴部の上端と下端に切妻屋根状の肩部と底部を、胴部の前後壁に屋根状の軒部を接続させた形態で連設し、肩部の上端中央に首部を介して口筒部を起立連設し、胴部の両側壁に、折れ目線を形成する折れ目線条を付形した、ことを加えたものである。
【００１４】
この請求項２記載の発明においては、四角筒状に成形された胴部の前後壁が、切妻屋根状の肩部と底部の軒部に接続され、胴部の両側壁に折れ目線条が付形されているので、胴部の前後方向への一定した形態での偏平な押し潰し変形は、簡単にかつ確実に達成されることになる。
【００１５】
請求項３記載の発明は、請求項１記載の発明に、偏平に押し潰された形態のリング片の隣接対向した部分間を、破断し易い薄肉な結合片で一体に結合した、ことを加えたものである。
【００１６】
この請求項３記載の発明においては、隣接対向したリング片部分間が、結合片で一体に結合されているので、リング片は、その偏平に押し潰された姿勢を安定して保持されることになり、必要時に強く引っ張って結合片を破断することにより、簡単に展開状態となる。
【００１７】
請求項４記載の発明は、請求項１記載の発明に、偏平に押し潰された形態のリング片の、壜本体の首部および肩部に間近に対向する部分の少なくとも一方を、対向した首部および肩部部分に、破断し易い薄肉な結合片で一体に結合した、ことを加えたものである。
【００１８】
この請求項４記載の発明においては、偏平に押し潰された形態のリング片が、結合片により、壜本体の首部および肩部の少なくとも一方に一体に結合固定されているので、展開使用前のリング片は、壜体の取扱いの邪魔とならないように、壜本体の首部から肩部にかけての凹状となった部分に位置することになる。
【００１９】
請求項５記載の発明は、請求項１記載の発明に、偏平に押し潰された形態のリング片を、首部もしくは肩部の一方のピンチオフ部に起立状に設けた連結片を介して設けた、ことを加えたものである。
【００２０】
この請求項５記載の発明においては、連結専用の連結片を設けたので、壜本体の首壁とリング片との一体連結が、強固で安定したものとなり、またリング片を完全なリング構造に構成することができるので、リング片自体を強度の高いものとすることができる。
【００２１】
【発明の実施の形態】
以下、本発明の実施例を、図面を参照しながら説明する。
図示実施例の壜体は、四角筒状の胴部７の上端と下端に切妻屋根状の肩部３と底部１１を、胴部７の前後壁８に、肩部３および底部１１の屋根状の軒部を接続させた形態で連設し、肩部３の上端中央に円筒状の首部２を介して、外周面に螺条を刻設した口筒部１を起立連設し、胴部７の両側壁９に、折れ目線を形成する折れ目線条１０を付形し、その全体を、押し潰し変形が容易に達成できる程度に薄肉に成形している。
【００２２】
首部２から肩部３にかけてのピンチオフ部、すなわち首部２の側面部から切妻屋根状の肩部３の棟木部にかけての部分には、リング状体を首部２から肩部３にかけての表面に沿って、屈曲した姿勢のまま偏平に押し潰した形態で、リング片４がパーティングラインＰに沿って一体に付設されている。
【００２３】
図３に示した実施例の場合、リング片４は、その上端部分を、連結片５により首部２に強固に連結されていると共に、首部２および肩部３に間近に対向した部分と首部２および肩部３との間、および偏平に押し潰された形状となることによって、相互に近接した部分間を、容易に破断することができる程度に薄肉な結合片６により一体に結合している。
【００２４】
図４に示した他の実施例の場合、リング片４は、その略中央部分を、連結片５により、肩部３の上側寄りに連結された構成となっている。
【００２５】
複数の結合片６の内、リング片４と首部２および肩部３との間を結合するものは、壜本体に対するリング片４の組付き姿勢を、妄りに変位することなく一定に保持するためのものであり、リング片４部分間を結合するものは、リング片４の偏平姿勢を保持するためのものである。
【００２６】
底部１１は、切妻屋根状の底壁１２下面の最上位となるピンチオフ部に、屋根状の軒部である脚部分１３よりも下位に突出しない高さで、Ｌ字状となったフック片１４を一体に付設しており、このフック片１４は、Ｌ字状に限定されることはなく、リング片４を引っ掛けることのできる構造であれば良い。
【００２７】
それゆえ、空となった壜体を、胴部７の両側壁９を折れ目線条１０に沿って折り曲げながら、前後に偏平に押し潰すと共に、底部１１を前後方向に折り重ね状に折り畳み、次いで壜体全体を、底部１１の折り畳み方向に二つ折りし、この状態で、図６に示すように、結合片６を引っ張り破断して展開したリング片４をフック片１４に引っ掛けて、壜体の、偏平に押し潰して二つ折りにした減容化姿勢を、強固にかつ安定しそして簡単に保持する。
【００２８】
この際、展開したリング片４は撓み変形が自在であり、またリング片４とフック片１４との係止組付きは、フック片１４に対するリング片４の単なる引っ掛けで達成されるので、壜体の減容化姿勢に多少のバラツキがあったとしても、リング片４とフック片１４との係止組付きを、簡単にかつ確実にそして速やかに達成することができる。
【００２９】
胴部７の両側壁９に設けた折れ目線条１０は、図５に示すように、パーティングラインＰに沿って縦条状に設けられた部分と、両脚部分１３から中央に向かって斜めに立ち上がった部分とから構成されており、これにより胴部７を前後方向に偏平に押し潰すと共に、胴部７の一方の前後壁８を折り曲げて、この前後壁８に底部１１を折り重ねると云う、一定した折り畳みパターンを得ている。
【００３０】
リング片４は、その機能が、壜体の減容化姿勢保持だけに限定されることはなく、例えば図７に示すように、予め所望する箇所に設けられた吊り下げ用フック１５に、展開したリング片４を引っ掛けることにより、商品としての壜体を吊り下げ陳列することができる。
【００３１】
なお、フック片１４は、図５から明らかなように、その下端が脚部分１３よりも下方に突出することがないので、当然のことながら、通常の壜と同様に、壜体を正立姿勢で載置することができる。
【００３２】
また、図示実施例では、結合片６を、幅狭構造として、複数個を並列配置した構成としたが、この結合片６は、薄膜構造として、対向部間全体を連続的に結合する構造としても良い。
【００３３】
【発明の効果】
本発明は、上記した構成となっているので、以下に示す効果を奏する。
請求項１記載の発明によれば、リング状に展開したリング片をフック片に引っ掛けるだけで、壜体の減容化姿勢を確実に保持することができるので、壜体の減容化姿勢保持を簡単にかつ確実にそして速やかに達成することができる。
【００３４】
また、撓み変形自在なリング片のフック片への引っ掛けにより、壜体の減容化姿勢の保持を達成するので、壜体の減容化姿勢に多少のバラツキがあっても、壜体の減容化姿勢保持は確実にかつ簡単に達成することができ、もって壜体の減容化処理を簡単にかつ確実に行うことができる。
【００３５】
さらに、リング片およびフック片を、ブロー金型の型締め動作を利用して成形することが可能であるので、リング片およびフック片の一体成形を、壜本体のブロー成形操作を複雑化させることなく、簡単に達成することができる。
【００３６】
請求項２記載の発明によれば、壜本体の偏平な押し潰し変形がより容易に達成できると共に、常に一定した形態の押し潰し姿勢を得ることができ、これにより常に良好で確実な壜本体の押し潰し処理を得ることができる。
【００３７】
請求項３記載の発明によれば、リング片の偏平姿勢を安定して保持するので、商品としての壜体の取扱いに、リング片が邪魔となることがなく、壜体の良好な取扱いを得ることができる。
【００３８】
請求項４記載の発明によれば、リング片の壜本体に対する組付き姿勢が、壜体の取扱いの邪魔とならない状態に保持されるので、壜体の取扱いに、リング片が邪魔となることがなく、壜体の良好な取扱いを得ることができる。
【００３９】
請求項５記載の発明によれば、リング片の壜本体に対する連結組付き強度、およびリング片自体の強度を大きくすることができるので、リング片の作用を確実にかつ安全に発揮させることができる。
【図面の簡単な説明】
【図１】本発明の一実施例を示す、全体外観斜視図。
【図２】図１に示した実施例の、全体正面図。
【図３】図２の要部拡大図。
【図４】他の実施例の、要部拡大図。
【図５】図１に示した実施例の、全体側面図。
【図６】本発明の実施例の作用形態の一例を示す、全体外観斜視図。
【図７】本発明の一つの作用形態を示す、全体外観斜視図。
【符号の説明】
１  ；  口筒部
２  ；  首部
３  ；  肩部
４  ；  リング片
５  ；  連結片
６  ；  結合片
７  ；  胴部
８  ；  前後壁
９  ；  側壁
１０；  折れ目線条
１１；  底部
１２；  底壁
１３；  脚部分
１４；  フック片
１５；  吊り下げ用フック
Ｐ  ；  パーティングライン
【図１】
0003893414.tif 000002
【図２】
0003893414.tif 000003
【図３】
0003893414.tif 000004
【図４】
0003893414.tif 000005
【図５】
0003893414.tif 000006
【図６】
0003893414.tif 000007
【図７】
0003893414.tif 000008